(57)【要約】【課題】マスカラ液をまつ毛に効果的に塗布でき、さらに、まつ毛を部分的に梳き流してマスカラ液の塗布量の調整を簡便に行なえ、自然な外観に仕上げることができるマスカラブラシを提供する。【解決手段】芯線３と、芯線３の周りに螺旋状に固定される一群のブリッスル４とでブラシ部１を構成する。ブラシ部１は断面多角形状に整形する。各整形面のそれぞれに分断溝１１を形成して、ブリッスル４の螺旋列を螺旋方向の複数箇所で分断し、隣接する分断溝１１の間のブリッスル４で塗布部１８を構成する。【選択図】図１
2011104163.tif 000002
【特許請求の範囲】
【請求項１】
芯体（３）と、芯体（３）のまわりに固定される一群のブリッスル（４）とでブラシ部（１）が構成されており、
ブラシ部（１）の周囲の少なくとも一部をバリカンで切断して、芯体（３）に沿って延びる分断溝（１１）が形成してあることを特徴とするマスカラブラシ。
【請求項２】
芯線（３）と、芯線（３）の周りに螺旋状に固定される一群のブリッスル（４）とでブラシ部（１）が構成されており、
ブラシ部（１）の周囲の複数箇所に分断溝（１１）を形成し、ブリッスル（４）の螺旋列を螺旋方向の複数箇所で分断して一群の塗布部（１８）が形成してある請求項１に記載のマスカラブラシ。
【請求項３】
ブラシ部（１）を構成するブリッスル（４）の先端をバリカンで切断して、ブラシ部（１）が断面多角形状に整形されており、
各整形面におけるブリッスル（４）の基端部分をバリカンで切断して、分断溝（１１）が直線状に形成してある請求項２に記載のマスカラブラシ。
【請求項４】
分断溝（１１）が芯線（３）に対して傾斜する状態で形成してある請求項２または３に記載のマスカラブラシ。
【請求項５】
ブラシ部（１）の基端から先端寄りにわたって主塗布部（１２）が形成され、主塗布部（１２）より先端側の部分に副塗布部（１３）が形成してある請求項２、３または４に記載のマスカラブラシ。
【請求項６】
芯体（３）のまわりに一群のブリッスル（４）を固定してブラシ部（１）を形成する第１工程と、
ブリッスル（４）の先端を切断して、ブラシ部（１）の外面形状を整形する第２工程と、
ブリッスル（４）の基端部側をバリカン（１４）で切断して、分断溝（１１）を形成する第３工程とからなるマスカラブラシの製造方法。
【請求項７】
ブラシ部（１）を形成する第１工程において、ふたつ折りにした芯線（３）の間に一群のブリッスル（４）を挟み込み、芯線（３）を一方向へ捻じってブリッスル（４）が螺旋状に固定されており、
ブラシ部（１）の外面形状を整形する第２工程において、ブリッスル（４）の先端をバリカン（１４）で切断して、ブラシ部（１）が断面多角形状に形成されており、
分断溝（１１）を形成する第３工程において、バリカン（１４）を芯線（３）に対して傾斜させた状態でブリッスル（４）を切断して、分断溝（１１）が芯線（３）に対して傾斜する状態で形成してある請求項６に記載のマスカラブラシの製造方法。
【発明の詳細な説明】
【技術分野】
【０００１】
本発明は、マスカラ液をまつ毛に効果的に塗布でき、さらにまつ毛を部分的に梳き流してマスカラ液の塗布量の調整を簡便に行なえるマスカラブラシと、マスカラブラシの製造方法に関する。
【背景技術】
【０００２】
一般的なマスカラブラシは、ふたつ折りにした芯線の間に一群のブリッスルを挟み込み、芯線を一方向へ捻ることにより、芯線のまわりにブリッスルを螺旋状に固定して形成する。多くの場合には、塗布機能を向上するために、螺旋状のブラシ部の周面外形をたとえば銃弾状に整形し、あるいは断面三角形や四角形状に整形している（特許文献１）。
【０００３】
この種のマスカラブラシにおいて、ブラシ部の周面にブリッスルの束と液保持溝とを交互に形成して、より大量のマスカラ液を液保持溝に保持することが特許文献２に開示してある。そこでは、特許文献１と同様の螺旋状のブラシ部を形成したのち、溝形成用の治具に装填したブラシ部に熱を加えて、液保持溝を形成している。溝形成用の治具は、断面が扇型の棒状の金具を一定間隔おきに周方向へ配置し、各金具の間に放射状のスリットを形成している。螺旋状のブラシ部を、各金具の中心に差し込むと、ブリッスルは間近のスリットへと誘導されて放射形状に保持される。この状態で、金具に熱を加えてブリッスルを放射形状にくせ付けする。得られたブラシ部を治具から取り外すことにより、断面が扇型の液保持溝を備えたマスカラブラシが得られる。
【０００４】
同様にブラシ部の周囲に、長いブリッスルの列と短いブリッスルの列とを交互に備えたマスカラブラシが特許文献３に開示してある。そこでは、放射状に形成される６個の長いブリッスル列と、隣接するブリッスル列の間に形成される６個の短いブリッスル列とでブラシ部を形成している。しかし、特許文献３のマスカラブラシは、短いブリッスル列と、長いブリッスル列の基端部分の隙間とにマスカラ液を保持するものであって、この点で、マスカラ液を液保持溝に保持する特許文献２のマスカラブラシとは異なる。この違いは、マスカラブラシに含まれる余分なマスカラ液をしごき落とす際の、しごき部分の開口径の大小で生じるものであって、各マスカラブラシに固有の特性ではない。
【先行技術文献】
【特許文献】
【０００５】
【特許文献１】特許第３５４３００２号公報（段落番号００３５、図５）
【特許文献２】特開２００７−１１７５８５号公報（段落番号００１４、図２）
【特許文献２】特公平３−３６５２５号公報（第２頁第４欄第６〜１６行、第５図）
【発明の概要】
【発明が解決しようとする課題】
【０００６】
特許文献２のマスカラブラシは、断面が扇形の液保持溝に多量のマスカラ液を保持でき、１回の塗布操作で十分に濃い塗布結果が得られる。反面、塗布されるマスカラ液の量が過剰になり勝ちで、自然な外観に仕上げるのが難しい。また、螺旋状に固定されたブリッスルを、溝形成用の金具の間のスリットへ入り込ませて放射形状に集約し、集約されたブリッスルに熱を加えて、放射形状の塗布部と、断面が扇形の液保持溝とを形成している。そのため、放射形状にくせ付けされた塗布部のブリッスルの密度が高くなり、さらに熱変形することでブリッスルのしなやかさが損なわれやすい点に問題がある。加えて、マスカラブラシの加工に要する時間が６から２４時間となっており、製造コストが高く付くのを避けられない。
【０００７】
その点、特許文献３のマスカラブラシは、ブリッスルの一部を切り取って長いブリッスルと短いブリッスルとの列を交互に形成するので、長いブリッスルの列においてブリッスルの密度が高くなるのを解消できる。しかし、長いブリッスルの列と短いブリッスルの列とが、ブラシの中心軸に沿って連続しているので、弧状に生えたまつ毛を部分的に梳き流すのが難しい。たとえば、まつ毛の全体にマスカラ液を塗布した後、塗布量が多い部分のまつ毛からマスカラ液を梳きとったり、塗布量が少ない部分のまつ毛にマスカラ液を追加塗布するような場合に、梳きとり対象部分や、塗布対象部分に隣接するまつ毛まで梳き流されてしまう。
【０００８】
本発明の目的は、マスカラ液をまつ毛に効果的に塗布でき、さらに、まつ毛を部分的に梳き流してマスカラ液の塗布量の調整を簡便に行なえ、全体として自然な外観に仕上げることができるマスカラブラシを提供することにある。
本発明の目的は、マスカラブラシを簡単にしかも短時間で形成し、より低コストで提供できるマスカラブラシの製造方法を提供することにある。
【課題を解決するための手段】
【０００９】
本発明に係るマスカラブラシは、芯体３と、芯体３のまわりに固定される一群のブリッスル４とでブラシ部１を構成する。ブラシ部１の周囲の少なくとも一部をバリカンで切断して、芯体３に沿って延びる分断溝１１が形成してあることを特徴とする。
【００１０】
芯線３と、芯線３の周りに螺旋状に固定される一群のブリッスル４とでブラシ部１を構成する。ブラシ部１の周囲の複数箇所に分断溝１１を形成し、ブリッスル４の螺旋列を螺旋方向の複数箇所で分断して一群の塗布部１８を形成する。
【００１１】
ブラシ部１を構成するブリッスル４の先端をバリカンで切断して、ブラシ部１を断面多角形状に整形する。各整形面におけるブリッスル４の基端部分をバリカンで切断して、分断溝１１を直線状に形成する。
【００１２】
分断溝１１は芯線３に対して傾斜する状態で形成する。
【００１３】
ブラシ部１の基端から先端寄りにわたって主塗布部１２を形成し、主塗布部１２より先端側の部分に副塗布部１３を形成する。
【００１４】
本発明に係るマスカラブラシの製造方法は、芯体３のまわりに一群のブリッスル４を固定してブラシ部１を形成する第１工程と、ブリッスル４の先端を切断して、ブラシ部１の外面形状を整形する第２工程と、ブリッスル４の基端部側をバリカン１４で切断して、分断溝１１を形成する第３工程とからなる。
【００１５】
ブラシ部１を形成する第１工程において、ふたつ折りにした芯線３の間に一群のブリッスル４を挟み込み、芯線３を一方向へ捻じってブリッスル４を螺旋状に固定する。ブラシ部１の外面形状を整形する第２工程において、ブリッスル４の先端をバリカン１４で切断して、ブラシ部１を断面多角形状に形成する。分断溝１１を形成する第３工程において、バリカン１４を芯線３に対して傾斜させた状態でブリッスル４を切断して、分断溝１１を芯線３に対して傾斜する状態で形成する。
【発明の効果】
【００１６】
本発明のマスカラブラシは、芯体３とブリッスル４とでブラシ部１を構成し、その周囲の少なくとも一部をバリカンで切断して、芯体３に沿って延びる分断溝１１を形成するようにした。このように、ブラシ部１の周囲に、芯体３に沿って延びる分断溝１１を形成すると、分断溝１１に臨むブリッスル（分断縁１８ａにおけるブリッスル、図１参照）４が接触始端になる状態でブラシ部１をまつ毛にあてがうことにより、分断溝１１に臨むブリッスル４でまつ毛を的確に捕捉して梳き流すことができる。また、まつ毛を梳き流す間にブリッスル４の間、および分断溝１１に保持したマスカラ液をまつ毛に効果的に塗布できる。
【００１７】
ブリッスル４の螺旋列を複数の分断溝１１で分断して一群の塗布部１８を形成すると、図６に示すように、分断された塗布部１８の周囲を、螺旋列に沿って形成される螺旋溝の空所と分断溝１１の空所で囲むことができる。これらの空所は、ブラシ部１をあてがう際にまつ毛を導入しやすくすることに役立ち、したがって塗布部１８でまつ毛を的確に捕捉して梳き流すことができる。つまり、マスカラ液ををまつ毛に対してさらに効果的に塗布できる。
【００１８】
また、螺旋列に沿って先の空所と塗布部１８とが交互に形成されるので、ひとつひとつの塗布部１８でまつ毛を部分的に梳き流すことができる。これにより、塗布量が多い部分のまつ毛からマスカラ液を梳きとったり、塗布量が少ない部分のまつ毛にマスカラ液を追加塗布するような、塗布量調整作業を簡便に行なって、全体として自然な外観に仕上げることができる。また、空所と塗布部１８を交互に形成するので、ブラシ部１の任意の部分をまつ毛に接触させて部分的に回転することにより、まつ毛を空所に導入したのち、塗布部１８で捕捉できる。したがって、まつ毛に対してブラシ部１のどの部分を最初に接触させるかを考慮する必要がなく、その分だけマスカラブラシの使い勝手を向上できる。
【００１９】
ブラシ部１を断面多角形状に整形することにより、分断溝１１で挟まれる塗布部１８の位置によってブリッスル４の長さを大小に異ならせて、腰が強いブリッスル４としなやかなブリッスル４とを混在させることができる。また、断面多角形状の各整形面に分断溝１１を直線状に形成することにより、各整形面の分断溝１１に沿って均等な量のマスカラ液を保持することができるので、ユーザーは硬軟いずれかの好みの部分を使ってマスカラ液を均等に塗布できる。長さが異なるブリッスル４を使い分けて、塗布量調整作業をさらに細かく行なうことができる。
【００２０】
分断溝１１を芯線３に対して傾斜する状態で形成すると、ブリッスル４の螺旋列が不規則に分断されるので、塗布部１８の大きさや外郭形状を多様化できる。したがって、ユーザーはまつ毛の長さや密度などに応じて、好みの大きさの塗布部１８を使ってマスカラ液を塗布できる。また、ブリッスル４の構成本数が小さな塗布部１８を使用することにより、マスカラ液の塗布量の調整をさらに繊細に行なうことができる。
【００２１】
ブラシ部１に主塗布部１２と副塗布部１３を形成するマスカラブラシでは、主塗布部１２と副塗布部１３および塗布部１８をを使い分けることにより、マスカラ液の上まつ毛への塗布、上まつ毛の仕上げ、下まつ毛への塗布などをより的確に行なえる。また、他より短いブリッスル４で構成される副塗布部１３を使うことにより、余分なマスカラ液の除去や、不足するマスカラ液の追加塗布を確実に行なえる。
【００２２】
本発明に係るマスカラブラシの製造方法では、ブラシ部１を形成したのち、ブラシ部１の外面形状を整形し、ブリッスル４の基端部側をバリカン１４で切断して分断溝１１を形成するようにした。このように、分断溝１１をバリカン１４で形成すると、マスカラブラシを簡単に、しかも短時間で形成できるので、従来のマスカラブラシに比べて、マスカラブラシの製造に要するコストを削減して低コスト化できる。
【００２３】
ブリッスル４を螺旋状に固定してブラシ部１を構成し、その外面をバリカン１４で整形して断面多角形状に形成すると、ブラシ部１の形成から、ブラシ部１の整形に要する手間を省くことができるので、さらに少ない手間と時間でマスカラブラシを製造できる。また、芯線３に対して傾斜する分断溝１１をバリカン１４で形成することにより、ブリッスル４の螺旋列を不規則に分断して、大きさや外郭形状が異なるを塗布部１８を備えたマスカラブラシを簡単に形成できる。
【図面の簡単な説明】
【００２４】
【図１】本発明のマスカラブラシにおけるブラシ部の断面図である。
【図２】本発明のマスカラブラシの適用例を示すマスカラ液容器の断面図である。
【図３】本発明のマスカラブラシの製造過程を示す説明図である。
【図４】ブラシ部における分断溝の形成法を示す平面図である。
【図５】ブラシ部における分断溝の形成法を示す断面図である。
【図６】マスカラブラシの別の実施例を示す斜視図である。
【図７】マスカラブラシのさらに別の実施例を示す斜視図である。
【図８】マスカラブラシのさらに別の実施例を示す斜視図である。
【発明を実施するための形態】
【実施例】
【００２５】
図１ないし図６は本発明に係るマスカラブラシの実施例を示す。図２においてマスカラブラシは、ブラシ部１と、ブラシ部１を支持するホルダー２とからなる。ブラシ部１は、ステンレス線材からなる芯線（芯体）３と、芯線３の周囲に固定される一群のブリッスル４とで構成してある。ブリッスル４は、ポリエチレンテレフタレート繊維などの化学繊維を所定の長さに切断して形成してあり、必要に応じて、切断された繊維の両端にテーパリング加工を施して、先すぼまり状の毛先を形成することができる。
【００２６】
符号５はマスカラ液を収容する容器本体、符号６は容器本体５の出し入れ口を開閉するキャップであり、キャップ６の内面にホルダー２の上端が固定してある。ホルダー２は、上下に長い軸部７を備えたプラスチック成形品からなり、その下端に芯線３の基端部分が埋設固定してある。容器本体５の出し入れ口には、ブラシ部１に付着した余分なマスカラ液を扱き落とす扱き具８が設けてある。扱き具８は、ゴムまたはプラスチック材で形成した筒体からなり、その底壁に扱き開口９が形成してある。
【００２７】
マスカラブラシは、図３（ａ）〜（ｄ）に示すように、芯線３のまわりに一群のブリッスル４を固定してブラシ部１を形成する第１工程（図３（ａ）・（ｂ））と、ブラシ部１の外面形状を整形する第２工程（図３（ｃ））と、ブラシ部１の整形面に分断溝１１を形成する第３工程（図３（ｄ））とを経て製造する。なお、図３（ｂ）〜（ｄ）においては、ブラシ部１の外形形状、ブラシ部１の整形形状、分断溝１１の形成位置などを明確化するために、ブリッスル４の螺旋形状を省略してブラシ部１を中実体のように簡略表現した。
【００２８】
第１工程では、図３（ａ）に示すように、ふたつ折りにした芯線３の間に一群のブリッスル４を挟み込み、芯線３を一方向へ捻じって図３（ｂ）に示すブラシ部１を形成する。ブラシ部１を構成するブリッスル４は、芯線３の捻じり方向に従って固定され、これにより２重螺旋状の螺旋列が形成され、螺旋列の間に螺旋溝が形成される（図４参照）。
【００２９】
第２工程では、芯線３の両端を固定したのち、図３（ｃ）に示すように螺旋列の先端を切断して、ブラシ部１の外面形状を整形する。詳しくは、ブラシ部１の基端から先端寄りにわたる部分を断面四角形状に整形して主塗布部１２とし、さらに、主塗布部１２より先端側の部分を四角錐台状に形成して副塗布部１３とした。主塗布部１２および副塗布部１３は、ブラシ部１を芯線３の回りに９０度ずつ回転し、各回転位置ごとにブリッスル４の先端を電動バリカンで切断して形成でき、ごく短い時間で全体の整形を行なえる。
【００３０】
第３工程では、図３（ｄ）に示すように主塗布部１２、および副塗布部１３の各整形面の中央に、芯線３に沿って延びる分断溝１１を形成する。図４および図５に示すように、分断溝１１は電動バリカン（バリカン）１４の切刃部１５で螺旋列の基端部側を切断することにより形成することができ、各整形面に形成された分断溝１１は、それぞれ芯線３と平行になっている。このように、各整形面の中央に４個の分断溝１１を形成することにより、図６に示すように螺旋列は螺旋方向の多数個所で分断されて、ブラシ部１には４個の剣先形状の塗布部１８がＸ字状に形成される（図１参照）。分断溝１１は、ブラシ部１を芯線３の回りに９０度ずつ回転し、各回転位置ごとにブリッスル４の基端部を電動バリカンで切断して形成でき、第２工程の整形加工と同様に、ごく短い時間で加工できる。
【００３１】
先に説明したように、ブリッスル４は芯線３に対して螺旋状に固定してある。そのため、分断溝１１を形成することにより、ブリッスル４の螺旋列は、芯線３の周りを一周する間に４個所で分断され、分断溝１１の間に４個の塗布部１８が形成される。実際には、芯線３に挟まれたブリッスル４は２重螺旋状になるので、ブリッスル４の螺旋列は１ピッチ当り８個所で分断されることになる。そのため、ブラシ部１には、図６に示すようにブリッスル４の螺旋列の間の螺旋溝に加えて、螺旋列を分断する分断溝１１による多数の空所とが形成され、独立した塗布部１８の一群が形成されることになる。なお、図６においては、図が煩雑になるのを避けるために、ブリッスル４の螺旋列を平板状に簡略化して表現したが、実際のブリッスル束は、基端から先端に向かうに従い厚み方向（芯線３の中心軸線方向）へ拡がることになる。
【００３２】
以上のように構成したマスカラブラシは、芯線３の基端部をホルダー２に固定して使用する。図２に示すように、マスカラ液に浸漬した状態では、ブラシ部１の全体にマスカラ液が付着している。この状態のブラシ部１を扱き開口９でしごくことにより、余分なマスカラ液が除去されて、適量のマスカラ液が分断溝１１と、ブリッスル４の基端側の部分とに保持される。具体的には、図１に想像線で示すように、円形の扱き開口９の外郭線を各分断溝１１の溝底より径方向外側に位置させておくことにより、扱き開口９で囲まれる領域内に限って適量のマスカラ液を保持することができる。
【００３３】
マスカラ液を塗布する場合には、主塗布部１２を部分的に回転しながら、まつ毛を塗布部１８で押し上げるようにして梳き流すことにより、分断溝１１やブリッスル４の基端部側に保持されたマスカラ液がまつ毛に塗布される。このとき、ブリッスル４の螺旋列が分断溝１１による空所で分断されているので、空所に入り込んだまつ毛を塗布部１８で確実に捕捉でき、まつ毛に対するマスカラ液の塗布を的確に行なうことができる。
【００３４】
図１に示すように、分断された塗布部１８は剣先状に形成されるので、空所に臨む分断縁１８ａにおけるブリッスル４の長さは短く、整形面の隅部１８ｂに臨むブリッスル４の長さはより長くなる。この長さの違いによって、分断縁１８ａにおけるブリッスル４は腰を強くでき、隅部１８ｂにおけるブリッスル４はしなやかさを発揮することができる。したがって、ひとつの塗布部１８でまつ毛を局部的に捕捉する状態では、たとえば、塗布量が多い部分のまつ毛に付着したマスカラ液を、分断縁１８ａに臨むブリッスル４で梳きとることができる。また、塗布量が少ない部分のまつ毛を、塗布部１８で梳き流してマスカラ液を追加塗布することができる。このとき、隅部１８ｂに臨む長くてしなやかなブリッスル４でまつ毛を先端部分まで梳き流して、自然な外観に仕上げることができ、全体としてマスカラ液の塗布を的確に行なうことができる。さらに、副塗布部１３の塗布部１８でまつ毛を捕捉することにより、マスカラ液の塗布量を微妙に調整することができる。下まつ毛にマスカラ液を塗布する場合にも、副塗布部１３の塗布部１８を使用することで、自然な塗布状態が得られる。
【００３５】
図７および図８は、それぞれマスカラブラシの別の実施例を示す。図７に示すマスカラブラシにおいては、断面が多角形状（図示例では四角形状）に形成してある主塗布部１２の各整形面に、分断溝１１を芯線３に対して傾斜する状態で形成した。詳しくは、各整形面を対角線に沿って縦断する状態で分断溝１１を形成した。この場合にも、ブリッスル４の螺旋列は、分断溝１１によって多数個所で分断されるので、大きさや外郭形状が異なる一群の塗布部１８を形成することができる。
【００３６】
図８に示すマスカラブラシにおいては、断面が四角形状に形成してある主塗布部１２の各整形面の長手方向２個所に、斜めの分断溝１１を平行に形成して、芯線３の中心軸と分断溝１１とが挟む角度を、図７において芯線３の中心軸と分断溝１１とが挟む角度より大きく設定した。このように、分断溝１１を芯線３に対して大きく傾斜する状態で形成すると、ブリッスル４の螺旋列が不規則に分断されるので、塗布部１８の大きさや外郭形状をさらに多様化でき、とくにブリッスル４の構成本数が小さな塗布部１８で、マスカラ液の塗布量の調整を繊細に行なうことができる。
【００３７】
上記の実施例では、ブラシ部１を断面四角形状に形成したがその必要はなく、三角形や、五角形、六角形など四角形以外の多角形状の断面に形成することができる。また、ブラシ部１の断面は円形や楕円形などに形成することができ、必要があればＤ字状や、涙滴形状などに形成することができる。分断溝１１は、ブラシ部１の周方向の少なくとも１個所以上に形成してあればよい。
【００３８】
上記の実施例では、図１においてブラシ部１の整形面の中央部分に十文字状の分断溝１１を形成したが、その必要はなく、図１におけるブラシ部１の断面の対角線に沿って、分断溝１１をＸ字状に形成することができる。ブラシ部１は、プラスチック製の芯体３の周りにブリッスル４を電気植毛するフロッキー加工によって形成することができる。その場合には、ブラシ部１の周面に、右方向に捻じれる螺旋状の分断溝１１と、左方向に捻じれる螺旋状の分断溝１１とを複数個ずつ形成して、各分断溝１１・１１で囲まれる塗布部１８の周囲形状をダイヤ形に形成することができる。分断溝１１は直線状の溝である必要はなく、ブラシ部１の周面に沿って湾曲する溝や、断続する溝であってもよい。
【産業上の利用可能性】
【００３９】
本発明のマスカラブラシは、マスカラ液をまつ毛に塗布するのに最適であるが、毛染め液を眉毛に塗布する用途にも適用できる。
【符号の説明】
【００４０】
１  ブラシ部
３  芯体（芯線）
４  ブリッスル
１１  分断溝
１２  主塗布部
１３  副塗布部
１４  バリカン（電動バリカン）
１８  塗布部
【図１】
2011104163.tif 000003
【図２】
2011104163.tif 000004
【図３】
2011104163.tif 000005
【図４】
2011104163.tif 000006
【図５】
2011104163.tif 000007
【図６】
2011104163.tif 000008
【図７】
2011104163.tif 000009
【図８】
2011104163.tif 000010